(57)【要約】【課題】アッセンブリ支持体が簡単な構造を有していて、現代の使用事例に簡単に適合可能であるようにする。【解決手段】アッセンブリ支持体幅方向に互いに並列させられた２つまたはそれ以上のモジュール支持体２０が設けられており、該モジュール支持体が、２つの差込みカードガイドを有しており、両差込みカードガイドが、支持部材を介して互いに結合されており、これによって、差込みカードガイドの、アッセンブリ支持体深さ方向に延びるガイドが、１つまたはそれ以上の差込みカードのための収容部を形成しており、差込みカードが、後側の支持体１８に差込み接続によって電気的にコンタクティングされており、モジュール支持体が、支持体に解離可能に結合されており、これによって、モジュール支持体の列からの個々の任意のモジュール支持体の取外しが可能にされているようにした。【選択図】図１
2006344967.tif 000002
【特許請求の範囲】
【請求項１】
アッセンブリ支持体において、アッセンブリ支持体幅方向に互いに並列させられた２つまたはそれ以上のモジュール支持体（２０）が設けられており、該モジュール支持体（２０）が、２つの差込みカードガイド（３０）を有しており、両差込みカードガイド（３０）が、支持部材（２１）を介して互いに結合されており、これによって、差込みカードガイド（３０）の、アッセンブリ支持体深さ方向に延びるガイド（３１）が、１つまたはそれ以上の差込みカードのための収容部を形成しており、差込みカードが、後側の支持体（１８）に差込み接続によって電気的にコンタクティングされており、モジュール支持体が、支持体（１８）に解離可能に結合されており、これによって、モジュール支持体（２０）の列からの個々の任意のモジュール支持体の取外しが可能にされていることを特徴とする、アッセンブリ支持体。
【請求項２】
モジュール支持体（２０）が、結合機構によって支持体（１８）に結合されており、結合機構が、支持体（１８）の後側で操作可能である、請求項１記載のアッセンブリ支持体。
【請求項３】
モジュール支持体（２０）が、並列側に、互いに調和された機械的なインタフェースを備えている、請求項１または２記載のアッセンブリ支持体。
【請求項４】
機械的なインタフェースが、アンカ固定エレメントを有しており、該アンカ固定エレメントが、隣接したモジュール支持体（２０）をインタフェースの領域で互いに連結している、請求項３記載のアッセンブリ支持体。
【請求項５】
アンカ固定エレメントが、リニアガイドを形成しており、該リニアガイドが、アッセンブリ支持体深さ・高さ方向によって展開された平面の方向、有利にはアッセンブリ支持体深さ方向でモジュール支持体（２０）相互の調節を可能にしている、請求項４記載のアッセンブリ支持体。
【請求項６】
後側の支持体（１８）が、パターン寸法において互いに調和された固定収容部の列を有しており、パターン寸法のピッチが、互いに並列させられたモジュール支持体（２０）の固定収容部（ねじ山収容部（３６））のピッチに調和されている、請求項１から５までのいずれか１項記載のアッセンブリ支持体。
【請求項７】
モジュール支持体（２０）が、後側の支持体（１８）と反対の前側にねじ山収容部（３６）を有しており、該ねじ山収容部（３６）でアッセンブリ支持体幅方向に延びる横方向結合エレメントが、モジュール支持体（２０）の列の少なくとも２つのモジュール支持体（２０）に取り付けられている、請求項１から６までのいずれか１項記載のアッセンブリ支持体。
【請求項８】
支持部材（２１）が、パネルエレメントとして形成されている、請求項１から７までのいずれか１項記載のアッセンブリ支持体。
【発明の詳細な説明】
【技術分野】
【０００１】
本発明は、アッセンブリ支持体に関する。
【背景技術】
【０００２】
アメリカ合衆国特許第６６４６８９０号明細書に基づき、アッセンブリ支持体が公知である。この場合、複数の差込みカードガイドが加工されたハウジングが使用されている。これらの差込みカードガイド内には、平行に相並んで位置する差込みカードを挿入することができる。これらの差込みカードはその後側にコネクタ条片を有している。このコネクタ条片は、挿入された差込みカードを差込み収容部にコンタクティングする。この差込み収容部は、ハウジング後側に保持されたプリントボード、たとえばバックプレーンに取り付けられている。個別化または機能補足のために、差込みカードは差込みスペースを有している。この差込みスペース内には、付加的なプリント配線板を挿入することができる。この付加的なプリント配線板は、たとえばドータボードまたはメザニンボードとして知られている。このプリント配線板は、開放したハウジング前側からガイド内に挿入することができ、差込みスペース内に押し込むことができる。
【０００３】
アッセンブリ支持体に対する現代の使用事例は、種々異なるアッセンブリ支持体装着を要求する。使用事例に相応して、アッセンブリ支持体ハウジングが選択されなければならず、この場合、このアッセンブリ支持体ハウジングに所望の数の差込みカードが装着されなければならない。アッセンブリ支持体ハウジングは、通常、不変に設定された寸法を有しているので、個々の差込みカード収容部が装着されずに残され得る。これによって、有効な構成スペースが使用されずに残される。
【特許文献１】アメリカ合衆国特許第６６４６８９０号明細書
【発明の開示】
【発明が解決しようとする課題】
【０００４】
したがって、本発明の課題は、冒頭で述べた形式のアッセンブリ支持体を改良して、アッセンブリ支持体が簡単な構造を有していて、現代の使用事例に簡単に適合可能であるようにすることである。
【課題を解決するための手段】
【０００５】
この課題を解決するために本発明の構成では、アッセンブリ支持体幅方向に互いに並列させられた２つまたはそれ以上のモジュール支持体が設けられており、該モジュール支持体が、２つの差込みカードガイドを有しており、両差込みカードガイドが、支持部材を介して互いに結合されており、これによって、差込みカードガイドの、アッセンブリ支持体深さ方向に延びるガイドが、１つまたはそれ以上の差込みカードのための収容部を形成しており、差込みカードが、後側の支持体に差込み接続によって電気的にコンタクティングされており、モジュール支持体が、支持体に解離可能に結合されており、これによって、モジュール支持体の列からの個々の任意のモジュール支持体の取外しが可能にされているようにした。
【発明の効果】
【０００６】
本発明によれば、アッセンブリ支持体が２つまたはそれ以上のモジュール支持体から形成されている。これらのモジュール支持体は、それぞれ差込みカードのための収容部を有している。差込みカードの所要の数に関連して、モジュール支持体の数を選択することができる。これによって、アッセンブリ支持体寸法設定を使用事例に関連して行うことができる。モジュール支持体は一緒に後側の支持体に配置されている。この場合、この支持体は同時に機械的なかつ電気的なインタフェースを形成している。アッセンブリ支持体の、使用事例に関連した適合を容易に実施することができるようにするためには、一連のモジュール支持体から、任意の個々のモジュール支持体を残りのモジュール支持体と無関係に取り外すことができる。したがって、本発明による解決手段は、アッセンブリ支持体の個別の構造を可能にするキットを成している。
【０００７】
本発明の有利な構成によれば、モジュール支持体が、結合機構によって支持体に結合されており、結合機構が、支持体の後側で操作可能であることが提案されている。
【０００８】
結合機構が後側で操作可能であることによって、モジュール支持体の簡単な取付けおよび取外しが可能となる。
【０００９】
側方の並列時に、それぞれ異なるモジュール支持体の間の適合性を達成するためには、モジュール支持体が、並列側に、互いに調和された機械的なインタフェースを備えていることが提案されていてよい。
【００１０】
この場合、付加的な安定化は、機械的なインタフェースが、アンカ固定エレメントを有しており、該アンカ固定エレメントが、隣接したモジュール支持体をインタフェースの領域で互いに連結していることによって達成される。
【００１１】
この構成では、付加的にさらに、アンカ固定エレメントが、リニアガイドを形成しており、該リニアガイドが、アッセンブリ支持体深さ・高さ方向によって展開された平面の方向、有利にはアッセンブリ支持体深さ方向でモジュール支持体相互の調節を可能にしていることが提案されていると有利である。この場合、モジュール支持体ずれ方向はコネクタ接合運動もしくはコネクタ分離運動に相当している。
【００１２】
本発明の有利な構成によれば、後側の支持体が、パターン寸法において互いに調和された固定収容部の列を有しており、パターン寸法のピッチが、互いに並列させられたモジュール支持体の固定収容部（ねじ山収容部）のピッチに調和されていることが提案されている。
【００１３】
本発明による可能なアッセンブリ支持体は、モジュール支持体が、後側の支持体と反対の前側にねじ山収容部を有しており、該ねじ山収容部でアッセンブリ支持体幅方向に延びる横方向結合エレメントが、モジュール支持体の列の少なくとも２つのモジュール支持体に取り付けられているようになっていてよい。横方向結合エレメントは、アッセンブリ支持体の機能性をさらに高めることができる。横方向結合エレメントが、たとえば付加固定箇所を形成しているかまたは空気案内装置を形成していることが可能である。
【００１４】
支持体が、パネルとして形成されていることが提案されている場合には、支持体が付加的に後側の接近防護体を形成しているかまたは支持体がすでにハウジングの一部、たとえばエンクロージャの一部であってよい。このエンクロージャ内にはアッセンブリ支持体が組み込まれている。
【発明を実施するための最良の形態】
【００１５】
以下に、本発明を実施するための最良の形態を図面につき詳しく説明する。
【００１６】
図１には、収容ハウジング１０が示してある。この収容ハウジング１０内には、一般的にサブラックと呼ばれるアッセンブリ支持体が挿入されている。収容ハウジング１０は後側の支持体１８を有している。この支持体１８はパネルとして形成されている。この支持体１８には、２つのサイドパネル１１が続いている。両サイドパネル１１は、支持体１８に対して平行に延びるフロントパネル１２を介して互いに結合されている。支持体１８には、水平な旋回軸線を備えたヒンジ１７でカバー１６が取り付けられている。
【００１７】
収容ハウジング１０内には、複数のモジュール支持体２０から成るアッセンブリ支持体が挿入されている。モジュール支持体２０の構造は、図２〜図６から明らかである。これらの図面から認めることができるように、モジュール支持体２０は２つの差込みカードガイド３０を有している。両差込みカードガイド３０はそれぞれ２つのガイド３１を形成している。両ガイド３１はウェブ３２によって一体に結合されている。このウェブ３２はガイド３１の長手方向に対して横方向に延びている。このガイド３１とウェブ３２との間には、貫通部が提供されている。この貫通部を通って、冷却空気が循環することができる。ガイド３１はその長手方向側の端部でそれぞれ１つの固定片３４，３５によって互いに一体に結合されている。この固定片３４，３５は、前側もしくは後側に向けられたねじ山収容部３６を有している。
【００１８】
差込みカードガイド３０は互いに支持部材２１によって結合されている。この場合、ガイド３１は互いに向かい合って配置されていて、したがって、差込みカードのための収容部を形成している。この差込みカードはその水平な縁部においてガイド３１内でアッセンブリ支持体深さ方向にずらされてよい。支持部材２１はパネルとして形成されている。図２に認めることができるように、支持部材２１はねじ収容部２３を有している。このねじ収容部２３内には固定ねじを挿入することができ、差込みカードガイド３０のねじ山収容部内にねじ込むことができる。
【００１９】
図３に詳しく示したように、支持部材２１は中間で両差込みカードガイド３０の間に、２つのガイド３１を備えた別のガイドレール３１．１を支持している。図６に明確に認めることができるように、両ガイド３１は、固定片３４，３５の、支持部材２１に隣り合ったガイド３１に向かい合って位置している。ガイドレール３１．１を正確にこの位置に保持するためには、スペーサ３７がガイドレール３１．１に一体成形されている。このガイドレール３１．１と、支持部材２１と、スペーサ３７との間には、冷却空気を案内するための通気貫通部が形成されている。ガイドレール３１．１のガイド３１と、固定片３４，３５の、向かい合って位置するガイド３１とは収容部を形成している。この収容部内には、半分の構造高さを備えた差込みカードを挿入することができる。
【００２０】
ガイドレール３１．１はそのスペーサにねじ山収容部を有している。このねじ山収容部は支持部材２１のねじ収容部２３．１に整合しており、これによって、支持部材２１に対する簡単な固定および正確な位置決めが可能となる。
【００２１】
図２には、支持部材２１が詳しく示してある。この支持部材２１は４つの付設部２２を有している。これらの付設部２２は前側もしくは後側に向かって突出している。したがって、固定片３４，３５と一緒に収容部が得られる。この収容部内には、差込みカード（図示せず）のフロントプレート４０を同一平面を成して挿入することができる。図２〜図６に示したモジュール支持体２０は固定片３４，３５にそれぞれ２つのガイド３１を有している。しかし、ただ１つまたはそれ以上のガイド３１を設けることも可能である。
【００２２】
しかし、アッセンブリ支持体を形成するために、１つまたは、図２〜図６に示したように、２つのガイド３１を備えたモジュール支持体２０が有利であることが分かった。この場合、アッセンブリ支持体には、それぞれ異なるガイド数を備えたモジュール支持体２０が同時に形成されていてよい。２つのガイド３１と、これに相応して、差込みカードのための２つの収容部とを備えたモジュール支持体２０では、それぞれ異なるサイズの差込みカードを組み込むことができる。
【００２３】
図７には、たとえばそれぞれ異なる差込みカードサイズのためのモジュール支持体２０が示してある。この場合、構成ａ）には、全組込み高さにわたって延びる２つの差込みカードを収容することができるモジュール支持体２０が示してある。しかし、このモジュール支持体２０の組込みスペースの全高さおよび使用可能な全幅にわたって延びるただ１つの差込みカードを組み込むことも可能である。これに相俟って、１倍の高さと２倍の幅とを備えた差込みカードが考慮される。構成ｂ）では、２倍の幅にわたって延びていて、したがって、４つのガイド３１を有するガイドレール３１．１が組み込まれている。これに相応して、モジュール支持体２０内には、半分の高さと１倍の幅とを備えた４つの差込みカードが組み込まれてもよいし、半分の高さと２倍の幅とを備えた２つの差込みカードが組み込まれてもよい。
【００２４】
構成ｃ）によるモジュール支持体２０は、図２〜図６に示した構造に相当している。このモジュール支持体２０内には、半分の高さを備えた２つの差込みカードと、全高さを備えた１つの差込みカードとをそれぞれ半分の幅で組み込むことができる。択一的には、２倍の幅と半分の高さとを備えた２つの差込みカードが挿入されてもよい。
【００２５】
構成ｄ），ｅ）では、モジュール支持体２０に、全高さにわたって延びているものの、１倍の幅にわたってしか延びていない収容部が形成されている。構成ｄ）では、全高さの１つの差込みカードを組み込むことができ、構成ｅ）では、半分の高さの２つの差込みカードを組み込むことができる。
【００２６】
モジュール支持体２０は、図２および図３に明確に示したように、差込みカードガイド３０と反対の側で支持部材２１に平らな面を有している。この平らな面は、固定片３４，３５の平らな面に対応している。
【００２７】
したがって、平らな面は機械的なインタフェースを形成している。このインタフェースを介して、モジュール支持体２０を互いに並列させることができる。このモジュール支持体２０は後側で支持体１８に組み付けることができる。この支持体１８は、バックプレーン、ミッドプレーン、異形材または、たとえば図１に示したように、ハウジングパネルであってよい。
【００２８】
支持体１８との結合は後側の固定片３４を介して行われる。支持体１８はねじ収容部を有している。このねじ収容部は、固定片のねじ山収容部３６に対して整合して配置されている。ねじ収容部を通して案内されかつねじ山収容部３６内にねじ込まれる固定ねじによって、モジュール支持体２０が支持体１８の後側からこの支持体１８に位置固定可能となる。ねじ収容部は、ねじ山収容部３６のピッチパターンに相応のピッチパターンで支持体１８に加工されており、これによって、モジュール支持体２０をその機械的なインタフェースで並列させることができる。
【００２９】
図１に示したように、互いに並列させられたモジュール支持体２０は、前方の固定片３５の領域で付加的な構成ユニットに結合することができる。たとえば、モジュール支持体２０は、下側の固定片３５において互いにアッセンブリ支持体幅方向で横方向支持体を介して結合することができる。この場合、この横方向支持体は収容ハウジング１０のフロントパネル１２によって形成することができる。このためには、このフロントパネル１２がねじ収容部１３を有している。このねじ収容部１３内には、固定ねじが導入されており、整合するねじ山収容部３６内にねじ込まれている。
【００３０】
上側の固定片３５には、空気案内金属薄板１４が固定されている。
【図面の簡単な説明】
【００３１】
【図１】収容ハウジング内に収納されたアッセンブリ支持体の斜視図である。
【図２】モジュール支持体を右側から見た斜視図である。
【図３】図２に示したモジュール支持体を左側から見た斜視図である。
【図４】図２および図３に示したモジュール支持体を別の方向から見た図である。
【図５】図２および図３に示したモジュール支持体を別の方向から見た図である。
【図６】図２および図３に示したモジュール支持体を別の方向から見た図である。
【図７】ａ）は、モジュール支持体の別の構成の概略図であり、ｂ）は、モジュール支持体のさらに別の構成の概略図であり、ｃ）は、モジュール支持体のさらに別の構成の概略図であり、ｄ）は、モジュール支持体のさらに別の構成の概略図であり、ｅ）は、モジュール支持体のさらに別の構成の概略図である。
【符号の説明】
【００３２】
１０  収容ハウジング、  １１  サイドパネル、  １２  フロントパネル、  １３  ねじ収容部、  １４  空気案内金属薄板、  １６  カバー、  １７  ヒンジ、  １８  支持体、  ２０  モジュール支持体、  ２１  支持部材、  ２２  付設部、  ２３  ねじ収容部、  ２３．１  ねじ収容部、  ３０  差込みカードガイド、  ３１  ガイド、  ３１．１  ガイドレール、  ３２  ウェブ、  ３４  固定片、  ３５  固定片、  ３６  ねじ山収容部、  ３７  スペーサ、  ４０  フロントプレート
【図１】
2006344967.tif 000003
【図２】
2006344967.tif 000004
【図３】
2006344967.tif 000005
【図４】
2006344967.tif 000006
【図５】
2006344967.tif 000007
【図６】
2006344967.tif 000008
【図７】
2006344967.tif 000009